【事件の表示】
　特願２００３−１７９７２７「ＤＶＤ装置」拒絶査定不服審判事件〔平成１７年１月２０日出願公開、特開２００５−１８８４９〕について、次のとおり審決する。
【結　論】
　本件審判の請求は、成り立たない。
【理　由】
１．手続の経緯、本願発明
　
　本願は、平成１５年６月２４日の出願であって、その請求項１ないし４に係る発明は、平成２１年５月１９日付けで手続補正された明細書の、特許請求の範囲の請求項１ないし４に記載されたとおりのものであると認められるところ、そのうち、請求項１に係る発明（以下、「本願発明」という。）は、次のとおりである。
　
「【請求項１】　内部で使用する直流電源電圧を出力する電源回路を搭載する第１のプリント配線基板と、
　光ディスクの情報を読出すためのピックアップ部および前記光ディスクを回転させるためのモータを含む光ディスクローダと、
　前記第１のプリント配線基板から前記直流電源電圧の供給を受け、前記ピックアップ部からの読出信号に対して、映像信号および音声信号の再生処理を行なうとともにシステムの制御を行なうデジタル回路と前記デジタル回路から出力される信号をアナログ信号に変換するＤＡ変換器とを少なくとも集積したシステムＬＳＩを表面に搭載する第２のプリント配線基板と、
　前記第１のプリント配線基板、前記光ディスクローダおよび前記第２のプリント配線基板を収納する樹脂製ケースとを備え、
　前記第２のプリント配線基板は、
　前記システムＬＳＩに接続されるメモリと、
　前記モータを駆動するモータドライバとをさらに搭載し、
　前記第２のプリント配線基板は、少なくとも前記システムＬＳＩの実装部分については重なるように敷設され、前記システムＬＳＩと前記メモリと前記モータドライバに共通する接地電位を与える接地パターンを含み、
　前記第１のプリント配線基板には、外部機器に対して再生された前記映像信号および前記音声信号を出力するための端子群と、前記光ディスクの再生および停止の指示を受ける入力部とがさらに搭載され、
　前記第２のプリント配線基板には、前記ピックアップ部と前記光ディスクの前記情報を授受する配線を接続するための第１のコネクタ（４５）と、前記モータドライバからの駆動信号を前記モータに伝達する配線を接続するための第２のコネクタ（４６）と、前記第２のプリント配線基板上でアナログ信号に変換された再生処理後の前記映像信号および前記音声信号を前記端子群に送信する配線群を接続するための第３のコネクタ（４８）と、前記電源回路からの前記直流電源電圧および前記入力部からの前記指示を伝達する配線群を接続するための第４のコネクタ（４７）とが設けられ、
　前記第２のプリント配線基板は、対向する２対の辺を有する形状であり、
　前記第２のプリント配線基板上における前記システムＬＳＩの搭載位置は、前記対向する２対の辺のうちの１対である第１、第２の辺のうち前記第２の辺よりも前記第１の辺に近く、
　前記第３のコネクタ（４８）および前記第４のコネクタ（４７）の少なくとも一方は、前記第１のプリント配線基板と電気的接続を行なうために前記第２のプリント配線基板上に前記第２の辺に沿って設けられる、ＤＶＤ装置。」
　
２．引用例
（１）引用例１
　これに対し、当審で通知した拒絶の理由に引用した特開平１０−３３４６４３号公報（以下、「引用例１」という。）には、図面とともに以下の技術事項が記載されている。なお、以下、引用例の摘記部分に付した下線は当審による。
　
（ア）「【０００２】
【従来の技術】
ＤＶＤプレーヤにおいて、ディスク再生を行うメカをプレーヤ正面から見てキャビネットの中央に配置した場合、電源用の回路基板と制御用の回路基板をディスク再生メカの左右両側に互いに離間配置した
制御用回路基板が受ける電源用回路基板からの熱影響やノイズ
の緩和
　
（イ）「【００２０】図５に、この
ディスク再生メカ
ＤＶＤプレーヤ
【００２１】プレーヤ正面から見て、
ディスク再生メカ１００はプレーヤ２００のキャビネット２０１の中央に配置され、ディスク再生メカ１００の左右には電源用回路基板７１と制御用回路基板７２が配置され、奥には音声・映像出力用の回路基板７７が配置されている
電源用回路基板７１と制御用回路基板７２とを接続するケーブル
　
　上記記載事項及び図面を総合勘案すると、上記引用例１には、次の発明（以下、「引用発明」という。）が記載されている。
　
「プレーヤ正面から見てキャビネットの中央にディスク再生メカが配置され、
　前記ディスク再生メカの左右には、電源用回路基板と、制御用回路基板とが配置され、
　奥には音声・映像出力用の回路基板が配置され、
　電源用回路基板と制御用回路基板とは、ケーブルで接続されている、
　ＤＶＤプレーヤ。」
　
（２）同じく、当審で通知した拒絶の理由に引用した特開２００１−２９１５６２号公報（以下、「引用例２」という。）には、図面とともに以下の技術事項が記載されている。
　
（ウ）「【０００２】
【背景技術】従来より、絶縁性ハウジングと、この絶縁性ハウジングに挿通され、導体同士を電気的に接続する信号伝達部材とを備えたコネクタにおいて、
信号伝達部材をフェライトコア等に貫通させることにより、ＥＭＩ（ElectroMagnetic Interference）対策を施したコネクタが利用され
　
（エ）「【００１４】
【発明の実施の形態】以下に本発明の実施の形態を図面に基づいて説明する。図１〜図５には、本発明の一実施形態に係るエンタテインメント装置１が示されている。
エンタテインメント装置１は、例えば、光ディスク等に記録されているゲームプログラム等を読み出して、使用者（ゲームプレーヤ）からの指示に応じて実行する
【００１５】エンタテインメント装置１は、電子部品等を有する装置本体２と、この装置本体２を収容するエンタテインメント装置用筐体３（以下、筐体という）とを備えて構成されている。筐体３は、
装置本体２
　
（オ）「【００２６】
装置本体２は、図３および図５に示されるように、ディスク装置１１、電源装置である電源ユニット１２、演算処理装置が搭載されるメインボード１３等を備えて構成されている
【００２７】
電源ユニット１２は、センターシャーシ４の中敷部４２上に載置された電源回路基板３１と、外部電源からの電力が入力される電源部３２とを備えている
【００２８】
電源回路基板３１は、中敷部４２の略半分の平面積を有し、当該電源回路基板３１を構成するコンデンサやコイル、変圧器等の回路素子３１Ａにより、外部電源から供給された交流電力を、直流電力に変換および所定電圧に変圧する
電源回路基板３１上には、図示しない直流電圧が印加される電圧印加線および接地線等のプリントパターン（導体）が形成されている
　
（カ）「【００３０】
ディスク装置１１は、ＣＤ−ＲＯＭやＤＶＤ−ＲＯＭ等の光ディスクを再生するもの
【００３１】
メインボード１３は、演算処理ユニットであるＣＰＵ（Central Processing Unit）５１およびその周辺装置等からなる制御系（図示略）と、ＣＰＵ５１からの信号に基づいて出力画像を形成する画像処理ユニット等を含むグラフィックシステム（図示略）と、音楽、効果音等を発生する音声処理ユニット等を含むサウンドシステム（図示略）と、これら制御系、グラフィックシステム、サウンドシステム等への電源ユニット１２からの電力の供給を制御する電力制御手段であるマイクロプロセッサユニット（図示略）と、アプリケーションプログラムが記録されている光ディスクの制御を行う光ディスク制御部（図示略）と、使用者からの指示が入力されるコントローラからの信号や、コントローラに出力される信号、およびビデオゲームの設定等を記憶する外部補助記憶装置からのデータの入出力等を制御する通信制御部（図示略）とを備え
　
（キ）「【００３９】このような
メインボード１３には、図６に示されるように、電源回路基板３１で所定電圧に変圧された直流電力がコネクタ８０を介して供給されている
第１接続部３１Ｄおよび第２接続部１３Ａには、それぞれ電源回路基板３１上およびメインボード１３上に形成されるプリントパターン（図示略）に接続されている図示しない端子が設けられている
【００４０】詳しくは、
コネクタ８０は、図７および図８にも示されるように、可撓性を有する樹脂成型品で形成された略箱状の絶縁性ハウジング８１
絶縁性ハウジング８１内に設けられているＥＭＩフィルタであるフェライトコア８３とを備えて構成されている
　
（３）同じく、当審で通知した拒絶の理由に引用した特開２００２−３４３０７３号公報（以下、「引用例３」という。）には、図面とともに以下の技術事項が記載されている。
　
（ク）「【００１１】
【発明の実施の形態】以下、本発明の実施の形態について、図示例を参照しながら説明する。図１は、本発明の実施の形態に係るＡＶ装置の外部接続端子を示すケース本体の斜視図、図２は、同ＡＶ装置の配線基板に実装された回路各部を示す概要配置図である。このＡＶ装置は、ＤＶＤの記録情報を再生するＤＶＤプレイヤー１に適用され、
このＤＶＤプレイヤー１のケース本体２内に再生系のメカ機構部を収納するとともに、各種回路素子を実装するために１枚のプリント基板３を内蔵している
【００１２】ケース本体２は、図１に示す如く略矩形状に形成されており、前側壁２ａ（図２参照）側にディスクトレー挿脱口、ＬＣＤ表示部、キー操作部等を設けている。そして、ケース本体２の後側壁２ｂに電源コード４を引き出すための貫通孔２ｅを形成し、右側壁２ｃには
外部機器と接続するための複数のジャックや接続端子１０〜１３
【００１３】プリント基板３は、図２に示すように、前記ケース本体２よりも小サイズの略方形状に形成されており、各所に前記メカ機構部の構成部材を配置するための穴部３ｅ，３ｆを開設してある。そして、この１枚のプリント基板３に、電気回路のほぼ全体を実装するようにしている。すなわち、
プリント基板３の後端部３ｂ側に電源部６の回路素子を搭載する一方、前端部３ａ側に映像・音声信号処理部８その他内蔵回路部７をそれぞれ構成する回路素子を搭載し
電源部６は、従来周知のスイッチング電源回路であって、差込プラグ５を一端に取り付けた電源コード４の他端が入力端子４ａに接続されている
【００１４】このブリッジ回路６ａには、複数のスイッチングトランジスタ等からなるスイッチング回路６ｂが接続されている。この
スイッチング回路６ｂも、プリント基板３の左端縁３ｇ寄りに配置され
【００１５】この電圧出力回路６ｆは、複数の出力端子を備えており、
プリント基板３の左側部３ｄに設けられた着脱端子部６ｈを介して前記メカ機構部の接続端子にそれぞれ接続されている
電圧出力回路６ｆの各出力端子には、プリント基板３の前端部３ａ側に配設された映像・音声信号処理部８や内蔵回路部７が接続されている。この内蔵回路部７には、表示回路７ａや操作信号処理回路７ｂ等が含まれている。表示回路７ａは、前側壁２ａに取り付けられたＬＣＤ表示部に接続されている。また、操作信号処理回路７ｂには、前側壁２ａに配設されたキー操作部およびリモコン受信部が接続されている
【００１６】映像・音声信号処理部８は、ＤＶＤ信号処理部、Ａ／Ｖデコーダ、光信号出力回路およびＳＶＨＳ出力回路等を備えて構成されている。この
映像・音声信号処理部８は、入力側が着脱端子部８ａを介して前記光ピックアップ側回路と接続され、出力側がＲＣＡジャック１０、Ｓビデオ出力端子１１、光信号出力端子１２およびオーディオジャック１３にそれぞれ接続されている
　
（ケ）「【００２１】ところで、このＤＶＤプレイヤー１は、電源部６がスイッチング電源回路により構成されているため、電源部６のスイッチング回路６ｂがスイッチング動作を開始したときは、スイッチング回路６ｂ側で、通常、５０ＫＨｚ〜１００ＫＨｚ程度の高周波が発生する。この高周波は、ノイズの一要因となるが、ＤＶＤプレイヤー１に接続された外部機器側に影響を与える問題は大幅に抑制される。すなわち、
このＤＶＤプレイヤー１は、ケース本体２内に収納された１枚のプリント基板３上に電源部６の回路素子と映像・音声信号処理部８の回路素子とを離間して実装している。特に、スイッチング回路６ｂは、プリント基板３の後端部３ｂ側における左端縁３ｇ寄りに配置し、ＲＣＡジャックや出力端子１０〜１３等は、プリント基板３の前端部３ａ側における右端縁３ｈ寄りに集中して配設している
【００２２】
従って、スイッチング回路６ｂとＲＣＡジャックや出力端子１０〜１３とは、プリント基板３上において対角線上の配置となり相互が最も離間している。このため、スイッチング回路６ｂ側で発生する高周波が、ＲＣＡジャックや出力端子１０〜１３側に誘導されるのが大幅に軽減される。これにより、高周波に起因するノイズ信号が、ＤＶＤプレイヤー１側から外部機器側に送出される映像信号および音声信号に重畳され難いので、外部機器のスピーから雑音が放音されることはない。また、映像信号もノイズの影響を受け難いから、モニタの表示画像が乱れたり、暗くなるといった問題も生じなくなる。
　
（４）同じく、当審で通知した拒絶の理由に引用した特開平７−２６３８７１号公報（以下、「引用例４」という。）には、図面とともに以下の技術事項が記載されている。
　
（コ）「【０００１】
【産業上の利用分野】本発明は導体層を３層以上積層させた
多層構造のプリント配線板に関する
特にパルスを扱うデジタル装置が発生する電磁波障害（以下ＥＭＩ；Electro Magnetic Interference と略す）は、他の使用電子装置に影響を及ぼさないように、情報処理装置等電波障害自主規制協議会（以下ＶＣＣＩ；Volun-tary Control Council For Interference by Data Processing Equipment Offi-ce Machines と略す）から、伝導ノイズと放射ノイズの両面から規制され
【０００２】従って、製品の
電子装置はこの規制をクリアーしなければならず、種々の方策が講じられ、更に、コストアップとならないことが要求される
　
（サ）「【０００５】かような電子装置にあって、ＶＣＣＩの規制をクリアーする為の主な対策項目を挙げると以下の如くとなる。
〔１〕　
電子回路を構成したプリント板でのＥＭＩ対策
〔２〕  プリント板を格納するシェルフでのＥＭＩ対策。
〔３〕  ケーブル配線の遮蔽。
〔４〕  架筐体の開口部、隙間部の遮蔽。」
（当審注：マル付き数字は、システムの制約で表示できないので〔〕付き数字で表記する。）　
　
（シ）従来の技術について次のように記載されている。
「【０００７】しかし、今までは電子装置の開発競争が激しく、高性能、小形、低価格に重点が置かれ、ＥＭＩ対策は後手に回っていたのが実情であった。図４に示すように、
プリント配線板99は多層構造( 図示は４層）となり、内部導体層93,94 に電源供給回路11と接地パターン12とが設けられ
　
（５）同じく、当審で通知した拒絶の理由に引用した特開２０００−３３９８２７号公報（以下、「引用例５」という。）には、図面とともに以下の技術事項が記載されている。
　
（ス）「【０００２】
【従来の技術】
ＣＤ−ＲＯＭ、ＤＶＤ−ＲＯＭ、ＤＶＤ−ＲＡＭ等の記憶媒体は、トラック間あるいはセクタ間を飛び越してのリード／ライトアクセス、いわゆるランダムアクセスが可能なために、ＡＶ情報やコンピュータデータなどの記録媒体として多く使用される
【０００３】上記記録媒体を使用する情報機器の量産化および低コスト化を促進するために、その記録媒体に対するアクセス処理や信号処理等の一連のシーケンス処理機能を集積した記録媒体専用ＬＳＩ（大規模集積回路）が提供されるようになってきた。
【０００４】図４は、そのような
記録媒体アクセス専用ＬＳＩ
【０００５】同図に示す情報機器は、記録媒体３１としてＣＤ−ＲＯＭまたはＤＶＤ−ＲＯＭを用いるものであって、その主要部は、記録媒体アクセス専用ＬＳＩ１、外部マイクロコンピュータ２、媒体駆動部３などにより構成されている。
媒体駆動部３は、記録媒体３１を回転駆動するスピンドルモータ３２、モータドライバ３３、リードヘッド３４、リードプリアンプ３５などであって、専用ＬＳＩ１の制御下で動作する
【０００６】
記録媒体アクセス専用ＬＳＩ１は、ＣＰＵ（中央処理装置）１１、キャッシュ処理などを行う信号処理部１２、エラー制御やメモリ管理などを行うデータ制御部１３、サーボ制御処理などを行う機構制御部１４、外部インタフェイス部１５、プログラム格納部１６などを単一半導体チップ内に集積回路として搭載してなる
【０００７】プログラム格納部１６はマスクＲＯＭなどにより構成され、この内部にＣＰＵ１が実行するシーケンスプログラム１６１があらかじめ格納されている。このシーケンスプログラム１６１は、サーボ系自動制御、フォーカス制御、ＡＴＡＰＩコマンド受信、コマンド解析、キャッシュチェック、アクセス処理、リード処理、キャッシュ制御、ホスト転送などの機能をソフトウェア的に実現させるためのものであって、ＬＳＩ製造のマスク工程にてあらかじめ作り込まれる。
【０００８】上記専用ＬＳＩ１を用いて情報機器を製造するユーザは、
上記専用ＬＳＩ１に内蔵されている機能を使うことにより、少ない設計負担および低いハードウェアコストで、高機能および多機能の情報機器を比較的簡単に組み立てることができる
【０００９】
外部マイクロコンピュータ２は、ＣＰＵ２１、外部インタフェイス２２、ＲＯＭ２３、ＲＡＭ２４などにより構成され、上記専用ＬＳＩ１に対してコマンドとデータのやり取りとを行う
　
（６）同じく、当審で通知した拒絶の理由に引用した特開平７−９３８８９号公報（以下、「引用例６」という。）には、図面とともに以下の技術事項が記載されている。
　
（セ）従来の技術について次のように記載されている。
「【０００３】このような光ディスク装置の回路構成を図３を参照しながら説明する。この図３に示すように、光ディスク装置では、
光学ユニット１０が光ディスク１から読み出した再生信号を基に、ＲＦ回路２０がサーボ用信号及び変調信号を生成
ディジタル信号処理回路（ＤＳＰ：Digital Signal Processer）５０が変調信号のデコード、再生信号生成及びサーボ駆動回路４０を介しスピンドルサーボを行っている。そして、ディジタルフィルタ２、Ｄ／Ａコンバータ３を介し出力端子４からアナログ信号を出力している
【０００４】また、
マイクロコンピュータ７０はＤＳＰ５０に対して、サーボコントロールのシーケンス制御、ディスク情報管理、キー取り込み、表示制御及びミュート制御等のシステムコントロールを行う
【０００５】このような光ディスク装置の詳細な構成を図４を参照しながら説明する。光学ユニット１０で読み取られた再生信号は、ＲＦ回路２０において、増幅回路２１及び２２を介し変調信号用演算増幅回路２５とフォーカス用演算増幅回路２６に供給されると共に増幅回路２３及び２４を介してトラッキング用演算増幅回路２７にも供給される。
【０００６】ＲＦ回路２０のフォーカス用演算増幅回路２６では、フォーカスエラー信号を検出する。このフォーカスエラー信号は、ＳＳＰ３０に供給され、利得制御回路３１により利得が制御され、フィルタ３２によりフィルタ処理され、位相補償回路３３により位相が補償される。また、トラッキング用演算増幅回路２７では、トラッキングエラー信号を検出する。このトラッキングエラー信号もＳＳＰ３０に供給され、利得制御回路３４により利得が制御され、フィルタ３５によりフィルタ処理され、位相補償回路３６により位相が補償される。
【０００７】位相補償回路３３により位相が補償されたフォーカスエラー信号すなわちフォーカスサーボ信号は、フォーカス用のサーボ駆動回路４０ｂを介して、光学ユニット１０に供給されて、対物レンズの駆動調整等フォーカスの調整に用いられる。また、位相補償回路３６により位相が補償されたトラッキングエラー信号すなわちトラッキングサーボ信号は、トラッキング用のサーボ駆動回路４０ａ及びトラッキング用のアクチュエータ駆動回路４０ｃに供給されて、トラッキングの調整に使われる。
【０００８】
ＲＦ回路２０の変調信号用演算増幅回路２５からの変調信号は、ＤＳＰ５０において、アシンメトリ補正回路５１によりアシンメトリ補正され、ＰＬＬ回路５２によりＰＬＬ処理され、ＥＦＭ復調回路５３によりＥＦＭ復調され、エラー訂正回路５６によりエラー訂正処理されてＤ／Ａインターフェース５８に供給される。ＥＦＭ復調回路５３でＥＦＭ復調処理された復調信号は、ＣＬＶ制御回路５４に供給され、ＣＬＶ制御信号となって、スピンドルサーボ駆動回路４０ｄを介して光学ユニット１０に供給され、スピンドルモータの回転を制御するのに用いられる
　
（ソ）「【００２２】
【実施例】以下、本発明に係る光ディスク装置の２つの実施例（第１の実施例、第２の実施例と記す）について、図１、図２を参照しながら説明する。先ず、図１に回路構成を示す第１の実施例は、
光ディスクであるコンパクトディスクから再生信号を読出し、この再生信号に基づいて、サーボ処理及び信号処理を行うコンパクトディスクプレーヤ
【００２３】この第１の実施例は、従来の技術の説明で用いた図３に示した
ディジタル信号処理回路（ＤＳＰ：Digital Signal Processer）５０とこのＤＳＰ５０をシステムコントロールするマイクロコンピュータ７０とをＭＯＳ型のＬＳＩ１００として一体化している
　
（タ）図１を参照すると、ＬＳＩ１００には「ＤＳＰ＋マイクロコンピュータ」との説明が付され、ＬＳＩ内に、ＲＡＭ５７，７３、ＲＯＭ７６の各メモリが集積されていることが示されている。
　
（チ）「【００３５】なお、本発明に係る光ディスク装置は、上記第１の実施例及び第２の実施例にのみ限定されるものではなく、例えばバイポーラ構造とＣＭＯＳ構造の両方を備えるいわゆるバイＣＭＯＳ構造で図３に示したＳＳＰ３０、ＤＳＰ５０、マイクロコンピュータ７０
さらにディジタルフィルタ２、Ｄ／Ａコンバータ３を構成すれば、これら各部を一体化することも可能となる。もちろん、その一体化は、適用される装置の性質により適宜に組合せることができる
　
（７）同じく、当審で通知した拒絶の理由に引用した登録実用新案第３０１１９４４号公報（以下、「引用例７」という。）には、図面とともに以下の技術事項が記載されている。
　
（ツ）「【０００１】
    【産業上の利用分野】
  本考案は、媒体を前面から挿入する構造（フロントローディング構造）のキャビネットに、その媒体の記録あるいは再生を行う電子部品を搭載した基板と駆動機構を搭載した機構デッキを収容した磁気テープ装置（ビデオテープレコーダ，ビデオテーププレーヤなど）等の電気機器に関する。前記
記録媒体は光磁気ディスク，光ディスク，磁気ディスク，磁気テープ等
　
（テ）「【０００７】
【課題を解決するための手段】
  本考案の
電気機器は媒体の搬入口を前面に有するシャーシケースとその上蓋から成るキャビネットにシステム制御の電子部品を搭載したプリント配線基板と前記基板上の所定位置に設けられた媒体およびヘッド駆動機構を搭載した機構デッキとを少なくとも収容して成る電気機器であって、前記キャビネットの上蓋は合成樹脂材から成る
　
（ト）「【００４０】
  （３）
キャビネットのシャーシケースとその上蓋は同じ合成樹脂材料なので、キャビネットの外側に着色する際に材料の差による表面の粗さや吸収吸着性、表面の地色など考慮しないで色を自由に選択デザインできる。外観のデザインが簡単になり、着色のコストダウンが計れる。形状の自由度も鋼板より大である。デザイン外観は一定厚さの鋼板の使用する場合より、さらにデザインアップを計れる。とくに塩化銅板やカラー銅板は高価であるので合成樹脂材によるコスト低減は大きい
　
３．対　比
　本願発明と引用発明とを対比する。
　引用発明の「ＤＶＤプレーヤ」は、本願発明における「ＤＶＤ装置」に相当する。
　引用発明の「電源用回路基板」は、引用例２の【００２８】（上記（オ）参照）に記載されるように「電源回路基板３１上には、図示しない直流電圧が印加される電圧印加線および接地線等のプリントパターン（導体）が形成されている」のが普通の構成で、「プリント配線基板」であることは、当業者にとって記載されているに等しい事項といえるから、本願発明における「内部で使用する直流電源電圧を出力する電源回路を搭載する第１のプリント配線基板」に相当する。
　同様に、引用発明の「制御用回路基板」も、「プリント配線基板」であることは記載されているに等しい事項といえるから、前記電源用回路基板とは別の回路基板であるという意味において、「第２のプリント配線基板」ということができ、また、「前記第１のプリント配線基板から前記直流電源電圧の供給を受け」ることは自明である。
　ディスク再生メカに少なくともピックアップ及びディスクモータが含まれることは当然であるから、引用発明の「ディスク再生メカ」は、本願発明の「光ディスクの情報を読出すためのピックアップ部および前記光ディスクを回転させるためのモータを含む光ディスクローダ」に相当する。
　引用発明の「キャビネット」は、本願発明の「前記第１のプリント配線基板、前記光ディスクローダおよび前記第２のプリント配線基板を収納する」「ケース」に相当する。
　引用発明において「電源用回路基板と制御用回路基板とは、ケーブルで接続されている」ことからすると、制御用回路基板（第２のプリント配線基板）は電源用回路基板から電源電圧が供給されるものであって、制御用回路基板には、前記電源電圧を伝達するケーブルを接続するコネクタが設けられることが自明であるから、当該コネクタは、本願発明の「電源回路からの前記直流電源電圧」「を伝達する配線群を接続するための第４のコネクタ」に相当する。
　
　以上のことからすると、本願発明と引用発明とは次の点で一致する。　一致点
「内部で使用する直流電源電圧を出力する電源回路を搭載する第１のプリント配線基板と、
　光ディスクの情報を読出すためのピックアップ部および前記光ディスクを回転させるためのモータを含む光ディスクローダと、
　前記第１のプリント配線基板から前記直流電源電圧の供給を受ける第２のプリント配線基板と、
　前記第１のプリント配線基板、前記光ディスクローダおよび前記第２のプリント配線基板を収納するケースとを備え、
　　前記第２のプリント配線基板には、前記電源回路からの前記直流電源電圧を伝達する配線群を接続するための第４のコネクタ（４７）とが設けられる、
　ＤＶＤ装置。」
　
　一方、次の点で相違する。
（相違点１）
　本願発明の「第２のプリント配線基板」については、
「ピックアップ部からの読出信号に対して、映像信号および音声信号の再生処理を行なうとともにシステムの制御を行なうデジタル回路と前記デジタル回路から出力される信号をアナログ信号に変換するＤＡ変換器とを少なくとも集積したシステムＬＳＩを表面に搭載する」
と特定されるのに対し、引用発明の「制御用回路基板」にはそのような特定がない点。
　
（相違点２）
　本願発明の「ケース」が「樹脂製」と特定されるのに対し、引用発明の「キャビネット」についはそのような特定がない点。
　
（相違点３）
　本願発明の「第２のプリント配線基板」について、
「前記システムＬＳＩに接続されるメモリと、
　前記モータを駆動するモータドライバとをさらに搭載し」
と特定されるのに対し、引用発明の「制御用回路基板」にはそのような特定がない点。
　
（相違点４）
　本願発明の「第２のプリント配線基板」について、
「少なくとも前記システムＬＳＩの実装部分については重なるように敷設され、前記システムＬＳＩと前記メモリと前記モータドライバに共通する接地電位を与える接地パターンを含み」
と特定されるのに対し、引用発明の「制御用回路基板」にはそのような特定がない点。
　
（相違点５）
　本願発明の「第１のプリント配線基板」について、
「外部機器に対して再生された前記映像信号および前記音声信号を出力するための端子群と、前記光ディスクの再生および停止の指示を受ける入力部とがさらに搭載され」
と特定されるのに対し、引用発明の「電源用回路基板」にはそのような特定がない点。
　
（相違点６）
　本願発明の「第２のプリント配線基板」には、
「前記ピックアップ部と前記光ディスクの前記情報を授受する配線を接続するための第１のコネクタ（４５）と、前記モータドライバからの駆動信号を前記モータに伝達する配線を接続するための第２のコネクタ（４６）と、前記第２のプリント配線基板上でアナログ信号に変換された再生処理後の前記映像信号および前記音声信号を前記端子群に送信する配線群を接続するための第３のコネクタ（４８）と」
が設けられると特定され、第４のコネクタ（４７）についても、電源回路からの前記直流電源電圧に加えて「入力部からの前記指示を伝達する」配線群を接続するためのものと特定されるのに対し、引用発明にはそのような特定がない点。
　
（相違点７）
　本願発明の第２のプリント配線基板について、
「対向する２対の辺を有する形状であり、
　前記第２のプリント配線基板上における前記システムＬＳＩの搭載位置は、前記対向する２対の辺のうちの１対である第１、第２の辺のうち前記第２の辺よりも前記第１の辺に近く、
　前記第３のコネクタ（４８）および前記第４のコネクタ（４７）の少なくとも一方は、前記第１のプリント配線基板と電気的接続を行なうために前記第２のプリント配線基板上に前記第２の辺に沿って設けられる」
と特定されるのに対し、引用発明の「制御用回路基板」にはそのような特定がない点。
　
　
４．判　断
（相違点１について）
　引用例５及び６には、いずれもＤＶＤまたはＣＤのような光ディスク装置に用いられる制御回路を集積したＬＳＩについて記載されており、引用発明においても、制御用回路基板に、これらのような制御回路を集積したＬＳＩを搭載してもよいことは自明である。
　そこで、引用例６を参照すると、実施例として記載されたＭＯＳ型のＬＳＩ（１００）は、従来例のＤＳＰ５０とマイクロコンピュータ７０を一体化したものであるから（上記（セ）、（ソ）、（タ）、図１、及び図４参照）、ピックアップを含むことが明らかな光学ユニットから出力されるＲＦを入力して、ＥＦＭ復調、エラー訂正等を行う音声信号の再生処理を行うとともに、ＣＬＶ制御、命令制御等システムの制御を行うデジタル回路を集積したものである。
　また、上記ＬＳＩにＤＡコンバータを取り込んでもよいことが記載されており（上記（チ）参照）、さらには、ＤＶＤの場合には「音声信号の処理」に加えて「映像信号の処理」も行うことは当然であるから、引用発明の制御用回路基板に対して前記ＬＳＩの構成を採用することで「ピックアップ部からの読出信号に対して、映像信号および音声信号の再生処理を行なうとともにシステムの制御を行なうデジタル回路と前記デジタル回路から出力される信号をアナログ信号に変換するＤＡ変換器とを少なくとも集積したシステムＬＳＩを表面に搭載する」ことは、当業者が容易に想到しうることである。
　
（相違点２について）
　引用例７には、光ディスクを含む記録媒体の記録再生装置に関する発明において、キャビネットの上蓋を合成樹脂材とすることが記載されている（上記（テ）、（ト）参照）。したがって、ＤＶＤプレーヤに適用しうることは当然であり、不要輻射の問題が解決される前提で引用発明においても「キャビネット」を「樹脂製」とすることは当業者が容易に想到しうることである。
　
（相違点３について）
　デジタル信号の処理にメモリが接続されることは普通の構成であって、引用例６においても、ＬＳＩ内に、ＲＡＭ５７，７３、ＲＯＭ７６等のメモリが集積することが示されている（上記（タ）、図１参照）が、必要に応じてメモリを外付けすることは適宜行われることにすぎないから、（相違点１について）で検討したように、引用発明の「制御回路基板」にシステムＬＳＩを搭載した場合には、外付けするメモリをシステムＬＳＩと同じ「制御回路基板」に搭載することは、ごく自然な設計にすぎない。
　さらには、引用例６においてＣＬＶ制御の出力に接続される「スピンドルサーボ駆動回路４０ｄ」（上記（セ）、図１参照）、及び引用例５に記載された「モータドライバ３３」（上記（ス）参照）は、いずれも本願発明の「モータを駆動するモータドライバ」に相当し、モータの制御系の一部をなすものであることからすると、引用発明の基板構成を有するＤＶＤプレーヤに適用した場合には、「制御回路基板」に搭載することは、ごく自然な設計にすぎない。
　
（相違点４について）
　引用例４に記載される従来例のように（上記（シ）参照）、接地パターン１２を内部導体層９４に設けた場合、引用例４には接地パターンの分割について言及がないことから、当該接地パターンは、スルーホール部分を除き、プリント配線板一面にわたって形成されると解するのが自然である。そして、表面実装部品４として、システムＬＳＩ、メモリ、モータドライバ等を搭載した場合には、前記接地パターンは、これらの表面実装部品に重なるとともに、これらの表面実装部品に共通の接地電位を与えるのは当然のことであるから、引用例４に記載された従来技術を用いることで、引用発明の制御用回路基板が「少なくとも前記システムＬＳＩの実装部分については重なるように敷設され、前記システムＬＳＩと前記メモリと前記モータドライバに共通する接地電位を与える接地パターン」を含むように構成することは当業者が容易に想到しうることである。
　
（相違点５について）
　引用発明においては、電源用回路基板、制御用回路基板に加え、奥に「音声・映像出力用の回路基板」が配置されているが、例えば、引用例２に電源回路基板３１とメインボード１３の２枚の基板に集約する構成が記載されている（上記（オ）、（カ）参照）ように、基板上に回路を集約して搭載することで基板の数を減らすことは、当業者が普通に試みる設計変更にすぎない。
　そこで、引用例３に記載された、配線基板（プリント基板３）に、電源部６と、映像音声処理部８，端子群１０〜１３、及び操作信号処理回路７ｂを含む内蔵回路部７を搭載した基板構成を参照すると、引用発明の電源用回路基板に、「音声・映像出力用の回路基板」の回路構成、及び前記「操作信号処理回路」のような入力操作を受け付ける回路を一枚の基板に集約して搭載することで、「外部機器に対して再生された前記映像信号および前記音声信号を出力するための端子群と、前記光ディスクの再生および停止の指示を受ける入力部とがさらに搭載され」のように構成することは、当業者が適宜なし得る設計変更にすぎないものである。
　
（相違点６について）
　引用例６を参照すると、ＬＳＩ１００には、光学ユニット１０と接続される入出力線、スピンドルモータへの出力線、及び音声信号をディジタルフィルタ、Ｄ／Ａコンバータへ出力する線の、３つの系統の入出力線が設けられることが明らかである（図１参照）。
　引用発明の制御回路基板に、引用例６に記載されるようなＬＳＩを搭載した場合には、入出力線の構成も引き継がれ、また、それぞれの入出力線にコネクタが対応することとなるのは自明であるから、ＤＶＤプレーヤにおいて当然に用いられる映像信号のための入出力線を含めると、制御回路基板に、「ピックアップ部と前記光ディスクの前記情報を授受する配線を接続するための第１のコネクタと、前記モータドライバからの駆動信号を前記モータに伝達する配線を接続するための第２のコネクタと、前記第２のプリント配線基板上でアナログ信号に変換された再生処理後の前記映像信号および前記音声信号を前記端子群に送信する配線群を接続するための第３のコネクタ」を設けることは当業者が容易に想到しうることである。
　
（相違点７について）
　基板の形状をありふれた長方形とすると、「対向する２対の辺を有する形状」となることが明らかである。
　引用例３を参照すると、ノイズ源である電源部のスイッチング回路６ｂと、映像音声処理部８とを互いに対角線上に相互が離間する配置とすることで、「ＲＣＡジャックや出力端子１０〜１３」に誘導されるノイズを軽減できることが記載されている（上記（ケ）、図２参照）。
　引用発明の制御回路基板に、引用例５又は６に記載されるようなシステムＬＳＩを搭載した場合には、当該ＬＳＩが大きなノイズ発生源となることは明らかであるから、当該ＬＳＩと、映像・音声信号を出力するコネクタとの距離を大きく取ることは、引用例３を参照することで当業者が容易に想到しうることである。すなわち、ＬＳＩを基板上、一方向について端部寄りに配置することで、「システムＬＳＩの搭載位置は、前記対向する２対の辺のうちの１対である第１、第２の辺のうち前記第２の辺よりも前記第１の辺に近く」とし、コネクタを前記一方向について、ＬＳＩの反対側に配置することで「第３のコネクタ（４８）および前記第４のコネクタ（４７）の少なくとも一方は、前記第１のプリント配線基板と電気的接続を行なうために前記第２のプリント配線基板上に前記第２の辺に沿って設け」ることは、当業者が容易に想到しうることである。
　
　そして、上記各相違点を総合的に判断しても、本願発明が奏する効果は、引用例１ないし７に記載された発明及び周知技術から、当業者が十分に予測できたものであって、格別なものとはいえない。
　
５．むすび
　以上のとおりであって、本願の請求項１に係る発明は、引用例１ないし７に記載された発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。